(57)【要約】      （修正有）【課題】炉本体の内部の砂及び灰の量が少ない場合でも串を異なる角度で立てると共にあらゆる回転方向に固定することができる串立てを提供する。【解決手段】炉本体１０の内部にパンチング孔７３ａが施された串立て７４ａとパンチング孔７３ｂが施された串立て７４ｂの間に隙間４６ａが形成される状態で、二枚の串立てから構成される串立て７４を設置することで、串立て７４と炉本体１０の底部の間に隙間４６ｂが形成されることを特徴とする。【選択図】図１
0003153113.tif 000002
【実用新案登録請求の範囲】
【請求項１】
囲炉裏、火鉢、又はアウトドアのバーベキューコンロにおける炉本体（１０）の内部に設置する串立てにおいて、
前記炉本体（１０）の内部にパンチング孔（７３a）が施された串立て（７４a）とパンチング孔（７３ｂ）が施された串立て（７４ｂ）の間に隙間（４６a）が形成される状態で、
二枚の串立て（７４a,７４ｂ）から構成される串立て（７４）を設置することで、
前記串立て（７４ｂ）と前記炉本体（１０）の底部の間に隙間（４６ｂ）が形成されることを特徴とする串立て。
【請求項２】
前記串立て（７４）の上部を構成する前記串立て（７４a）に施されたパンチング孔（７３a）の大きさが、
前記串立て（７４）の下部を構成する前記串立て（７４ｂ）に施されたパンチング孔（７３ｂ）よりも大きい形状であることを特徴とする請求項１に記載の串立て。
【請求項３】
前記串立て（７４）の上部を構成する前記串立て（７４a）に施されたパンチング孔（７３a）、又は前記串立て（７４）の下部を構成する前記串立て（７４ｂ）に施されたパンチング孔（７３ｂ）の形状が、
あらゆる形状に形成されることを特徴とする請求項１乃至２のいずれか１項に記載の串立て。
【考案の詳細な説明】
【技術分野】
【０００１】
本考案は、串立ての構造に関する。
【背景技術】
【０００２】
従来の串立て７４０は、図７に示すように、囲炉裏、火鉢などで使用される炉本体１０の内部の底部に砂７６を一定の量を敷き詰め、その砂７６の上に灰３１を敷くことで構成されている。
【０００３】
しかしながら、以上の技術によれば、囲炉裏、火鉢、又はアウトドアなどで使用される炉本体が一定の高さ以下の場合に、炉本体に入れることができる砂及び灰の量が少ないために、串に魚などの食品を刺した場合に、異なる角度に串を立てることがでず、又その食品の重さで一方向の回転方向にしか向かないという欠点があった。
【先行技術文献】
【特許文献】
【０００４】
【特許文献１】特開２００８−２０２９２０号公報
【考案の概要】
【考案が解決しようとする課題】
【０００５】
本考案は、以上のような従来の欠点に鑑み、囲炉裏、火鉢、又はアウトドアなどで使用される炉本体の内部の砂及び灰の量が少ない場合に、魚などの食品が刺さった串を異なる角度で立てると共にあらゆる回転方向に固定することができる串立てを提供する事を目的としている。
【課題を解決するための手段】
【０００６】
上記目的を達成するために、第一考案は、囲炉裏、火鉢、又はアウトドアのバーベキューコンロにおける炉本体の内部に設置する串立てにおいて、前記炉本体の内部にパンチング孔が施された串立てとパンチング孔が施された串立ての間に隙間が形成される状態で、
二枚の串立てから構成される串立てを設置することで、前記串立てと前記炉本体の底部の間に隙間が形成されることを特徴とする串立てである。
【０００７】
また、第二考案は、さらに、前記串立ての上部を構成する前記串立てに施されたパンチング孔の大きさが、前記串立ての下部を構成する前記串立てに施されたパンチング孔よりもよりも大きい形状であることを特徴とする串立てである。
【０００８】
また、第三考案は、さらに、前記串立ての上部を構成する前記串立てに施されたパンチング孔、又は前記串立ての下部を構成する前記串立てに施されたパンチング孔の形状が、
あらゆる形状に形成されることを特徴とする串立てである。
【考案の効果】
【０００９】
以上の説明から明らかなように、本考案にあっては次に列挙する効果が得られる。
（１）第一考案によれば、串立て（７４a）と串立て（７４ｂ）の間に隙間（４６a）が形成され、炉本（１０）の底部と串立て（７４ｂ）の間に隙間（４６ｂ）が形成されるので、串（７５）を串立て（７４a）のパンチング孔（７３a）と串立て（７４ｂ）のパンチング孔（７３ｂ）に刺した場合に、串（７５）が串立て（７４）に一定の角度で固定される。
したがって、串立て（７４a）の複数のパンチング孔（７３a）と串立て（７４ｂ）の複数のパンチング孔（７３ｂ）の位置をずらすことで串（７５）に異なる角度をつけることができる。
【００１０】
（２）第二考案によれば、串立て（７４）の上部を構成する串立て（７４a）に施されたパンチング孔（７３a）が串立て（７４ｂ）に形成されたパンチング孔（７３ｂ）よりも大きい形状で構成されているので、串（７５）の下端部が円錐状の形状の場合に、より串立て（７４）に固定することができる。
したがって、串（７５）に食品を刺した状態で串立て（７４）に異なる角度をつけて立てた場合にあらゆる回転方向に固定した状態で立てることができる。
【００１１】
（３）第三考案によれば、串立て（７４）の上部を構成する串立て（７４a）に施されたパンチング孔（７３a）、又は串立て（７４）の下部を構成する串立て（７４ｂ）に施されたパンチング孔（７３ｂ）の形状が、あらゆる形状に形成されているので、串（７５）を串立て（７４）に立てた場合に、さらに固定することができる。
したがって、串（７５）に食品を刺した状態で串立て（７４）に異なる角度をつけて立てた場合にあらゆる回転方向により固定した状態で立てることができる。
【図面の簡単な説明】
【００１２】
【図１】本考案を実施するための最良の形態の炉本体の断面図である
【図２】本考案を実施するための最良の形態の串立ての斜視図である
【図３】他の実施形態の串立ての断面図である
【図４】他の実施形態の串立ての断面図である
【図５】他の実施形態の串立ての断面図である
【図６】他の実施形態の串立ての部分斜視図である
【図７】従来の串立てを示す炉本体の断面図である
【考案を実施するための形態】
【００１３】
この考案の実施形態を、図１、図２に示す。
図１は、この考案の第一実施形態を示す串立て７４が炉本体１０の内部に設置されたことを示す断面図、図２は串立て７４を示す斜視図である。
【００１４】
図１に示すように、囲炉裏又は、アウトドアにおいて使用される炉本体１０の内部の底部に串立て７４が設置される。炉本体１０は金属製の四角箱型で上部開口部の縁の外側の水平方向に炉出っ張り１１が形成される。炉本体１０の内部の底部の中央部に四角形状の開口部が形成された串立て７４が設置される。この串立て７４の開口部に珪藻土、セラミックから形成された四角形状の断熱板７１が設置された状態で炉本体１０の内部の底部に灰３１が敷かれ、断熱板７１の上に炭などの燃焼物３２が載せられて燃焼される。
【００１５】
図２に示すように、串立て７４は四角箱型を伏せた形状でこの串立て７４の上部及び外部を構成し、全面にパンチング孔７３ｂより大きい丸い形状のパンチング孔７３aが施された串立て７４aと串立て７４の内部を構成し、全面にパンチング孔７３aより小さい丸い形状のパンチング孔７３ｂが施された串立て７４ｂから構成される。
【００１６】
串立て７４aは四角箱型で中央部に四角形状の開口部が形成される。串立て７４ｂは串立て７４aの内部に対応した四角形状で中央部に四角形状の開口部が形成される。  図１に示すように、串立て７４aの内部側壁に串立て７４ｂの外側端部が溶接などで接合されることにより、串立て７４aと串立て７４ｂの間に隙間４６aが形成され、串立て７４ｂと炉本体１０の内部の底部の間に隙間４６ｂが形成される
【００１７】
「実施形態の効果」
この実施形態によれば、串立て７４の働きで、炉本体１０の内部に灰３１及び砂７６の量が少ない、又は無い状態であっても串７５を炉本体１０の内部に立てることができる。
この実施形態によれば、串立て７４の働きで、断熱板７１の外側で燃焼物３２が燃焼された場合でも、炉本体１０に熱を伝えることを少なくすることができる。
【００１８】
串立て７４aと串立て７４ｂの間に隙間４６aが形成されるので串７５を立てた場合に、異なる角度に固定した状態で串７５を立てることができる。
串立て７４aの全面に形成されたパンチング孔７３aは串立て７４ｂの全面に形成されたパンチング孔７３ｂよりも大きい形状で形成されるので、串７５を立てた場合にしっかりと固定することができる。
【００１９】
「他の実施形態」
図１の実施形態では、串立て７４の串立て７４aは中央部に四角形状の開口部が形成されたが、他の実施形態では、図３に示すように、串立て７４aは四角の形状で中央部に開口部が形成されないものでも良い。
【００２０】
図１の実施形態では、串立て７４の串立て７４ｂは中央部に四角形状の開口部が形成されたが、他の実施形態では、図４に示すように、串立て７４ｂは四角の形状で中央部に開口部が形成されないものでも良い。
【００２１】
図１の実施形態では、串立て７４の串立て７４aと串立て７４ｂは中央部に四角形状の開口部が形成されたが、他の実施形態では、図５に示すように、串立て７４の串立て７４aと串立て７４ｂは中央部に開口部が形成されないものでも良い。
【００２２】
図２の実施形態では、串立て７４aの全面に施されたパンチング孔７３aの形状は丸であったが、他の実施形態では、図６に示すように、串立て７４aの全面に施されたパンチング孔７３aの形状は丸でなく、十字、星型などでも良い。
【００２３】
図２の実施形態では、串立て７４ｂの全面に施されたパンチング孔７３ｂの形状は丸であったが、他の実施形態では、串立て７４ｂの全面に施されたパンチング孔７３ｂの形状は丸でなく、十字、星型などでも良い。
【符号の説明】
【００２４】
１０炉本体  １１炉出っ張り  ３１灰  ３２燃焼物物  ４６隙間  ７１断熱板    
７３パンチング孔  ７４串立て  ７５串  ７６砂
【図１】
0003153113.tif 000003
【図２】
0003153113.tif 000004
【図３】
0003153113.tif 000005
【図４】
0003153113.tif 000006
【図５】
0003153113.tif 000007
【図６】
0003153113.tif 000008
【図７】
0003153113.tif 000009
【手続補正書】
【提出日】平成21年5月27日(2009.5.27)
【手続補正１】
【補正対象書類名】実用新案登録請求の範囲
【補正対象項目名】請求項３
【補正方法】変更
【補正の内容】
【請求項３】
前記串立て（７４）の上部を構成する前記串立て（７４ａ）に施されたパンチング孔（７３ａ）、又は前記串立て（７４）の下部を構成する前記串立て（７４ｂ）に施されたパンチング孔（７３ｂ）の形状が、
鋸歯状に形成されることを特徴とする請求項１乃至２のいずれか１項に記載の串立て。